(57)【要約】【課題】仮設テントを音の外部への漏れ出しをより効果的に防止できるように改良する。【解決手段】仮設テントのシート構造は、外シート２００と内シート３００の二重構造である。外シート２００は、難燃性を持ち、内シート３００は防音性を持つ。外シート２００は、外基材２１０と、外シート透明層２２１、２２２と艶消し機能層２４０を持つ。内シート３００は、内基材３１０と、内シート透明層３２１、３２２とを持つ。【選択図】図７
2019116817.tif 000002
【特許請求の範囲】
【請求項１】
骨材と、その間に張り渡されたシートとを有してなる仮設テントにおいて用いられる、外側に位置する外シートと、内側に位置する内シートとの二重のシートからなる、仮設テントのシート構造であって、
前記外シートとして、前記内シートよりも高い難燃性を有するものが配されるとともに、
前記内シートとして、前記外シートよりも高い防音性を有するものが配される、
シート構造。
【請求項２】
繊維を織った織布でできている基材である外基材を備えているとともに、前記外基材の外側に、紫外線を遮断する機能を有する紫外線遮断層が設けられている、
請求項１記載のシート構造。
【請求項３】
前記外シートは、繊維を織った織布でできている基材である外基材を備えているとともに、その少なくとも一方の面に、透光性を有する材料でできている外シート透明層を備えている、
請求項１又は２記載のシート構造。
【請求項４】
前記外シートの前記外基材を構成する織布を構成する前記繊維は、ガラス繊維である、
請求項３記載のシート構造。
【請求項５】
前記内シートは、繊維を織った織布でできている基材である内基材を備えているとともに、その少なくとも一方の面に、透光性を有する材料でできている内シート透明層を備えている、
請求項１又は２記載のシート構造。
【請求項６】
前記内シートの前記基材を構成する織布を構成する前記繊維は、合成繊維である、
請求項５記載のシート構造。
【請求項７】
前記内シートの単位面積あたりの重さは、前記外シートの単位面積あたりの重さよりも大きくされている、
請求項５記載のシート構造。
【請求項８】
前記内シート透明層は、前記内シートの両面に設けられている、
請求項５記載のシート構造。
【請求項９】
請求項１〜８のいずれかに記載のシート構造を、前記仮設テントの屋根部分に張り渡される前記シートに採用するとともに、一重のシートを前記仮設テントの壁部分に採用した、
仮設テント。
【請求項１０】
骨材と、その間に張り渡されたシートとを有してなる仮設テントにおけるシートの構造であるシート構造であって、
前記仮設テントの壁部分に張り渡される前記シートの外部に露出する外面には、光の反射率を低減させるための艶消し機能層が設けられている、
シート構造。
【請求項１１】
前記仮設テントの壁部分に張り渡される前記シートの外部に露出する外面は、前記仮設テントの屋根部分に張り渡される前記シートの外部に露出する外面よりも、光の反射率が小さくなるようにされている、
請求項１０記載のシート構造。
【請求項１２】
前記仮設テントの屋根部分に張り渡される前記シートの外部に露出する外面には、光の反射率を低減させるための艶消し機能層が設けられている、
請求項１０記載のシート構造。
【発明の詳細な説明】
【技術分野】
【０００１】
本発明は、仮設テントにおいて用いられる、二重シートにおけるシート構造に主に関する。
【背景技術】
【０００２】
例えば、建築物などを解体するには、解体現場においてバックホーなどの重機を用いて建築物を破砕し、細分化し、それによって生じた廃棄物を適当な方法で分別して廃棄する。
このような解体作業を、行う場合には、外部に音が漏れることを防ぐ必要がある。特に、解体作業を行う現場の近くに、住宅、病院、或いは学校等がある場合には、音の漏れがあると、近隣の住民との間で軋轢を生みかねない。
【０００３】
建築物の解体作業を行うときに、その作業によって生じる騒音の外部への漏れ出しを防止するための技術の１つとして、仮設テントにより解体の対象となる建築物の全体を覆うという技術が採用されている。
かかる仮設テントは、例えば、柱、梁等の骨材と、その少なくとも一部を覆うシートとによって構成される。シートは、粉塵や騒音の外部への漏れ出しを防止する目的をより強調するために二重とされる場合もある。
なお、近年の普及にしたがって、仮設テントは、建築物の解体を行うときのみならず、建築物の建築を行う場合にも利用される場合が生じてきている。したがって、本願における仮設テントは、建築物の解体を行う場合に用いられるものに限らず、その用途は問わない。
【発明の概要】
【発明が解決しようとする課題】
【０００４】
仮設テントのシートを二重にすると、音の外部への漏れ出しがシートが一重のときに比して少なくはなる。
しかしながら、音の外部への漏れ出しを防止することに対する要求は年々厳しくなっている。また、音の漏れ出しを防止するために仮設テントを用いる場合にデメリットが生じることも考えられるから、それを低減する必要がある。
【０００５】
本願発明は、仮設テントを音の外部への漏れ出しをより効果的に防止できるように改良すること等、仮設テントを改良することのできる技術を提供することをその課題とする。
【課題を解決するための手段】
【０００６】
上述の課題を解決するため、本願発明者は以下の発明を提案する。
本願発明は、骨材と、その間に張り渡されたシートとを有してなる仮設テントにおいて用いられる、外側に位置する外シートと、内側に位置する内シートとの二重のシートからなる、仮設テントのシート構造である。かかるシート構造を有する仮設テントの特に骨材は、従前のものと同じで良い。
上述のように、本願発明のシート構造は、外側に位置する外シートと、内側に位置する内シートとの二重のシートからなる。ここで、前記外シートとして、前記内シートよりも高い難燃性を有するものが配されるとともに、前記内シートとして、前記外シートよりも高い防音性を有するものが配される。
本願発明のシート構造は、従来から存在したものと同じく、二重構造を採用する。従来のシート構造は、同じシートを二重に配したものとされている。他方、本願発明のシート構造における外シートは、内シートよりも高い難燃性を有するものとされ、内シートは、外シートよりも高い防音性を有するものとされる。このように各々の役割を両シートに割り振ることにより、このシート構造は、防音性が高いのに加えて、火災に強いものとなる。難燃性の高い外シートを内シートの外側に位置させるのは、仮に内シートが燃えたとしても、外シートにより火災が仮設テントの外側に広がるのを防止するのに有利なためである。他方、防音性の高い内シートを外シートの内側に位置させるのは、仮設テントで覆われた現場から出る音をまず内シートで効果的に減衰させることで、仮設テントからの音漏れを効果的に防止するためである。本願における「防音性」は、結果的に透過音が少なくなればその機序は問わない。
２枚のシートの性格を上述のようにすることの利点は、防音性と難燃性とを、１枚のシートで両立させるのが難しいのに対して、２枚のシートを用いれば比較的容易に、それら２つの性質を両立させることができるということである。一般的に、シートの防音性を増すには、シートの重さを重くする必要があるところ、そのためには、シートの厚さを厚くするのが簡単である。しかしながら、シートの厚さを厚くすると、例えば、シートに含まれる単位面積あたりの樹脂の量を多くすると、シートが燃焼するときに生じる熱量が増えるため、難燃性が低下する。このような事情から、２枚のシートを用いるのである。
なお、本願発明における「難燃性」の文言は、単に燃えにくいという程度の意味であり、例えば建築基準法、消防法における難燃、防炎、不燃等の定義とは一致しない。
【０００７】
本願発明におけるシート構造は、繊維を織った織布でできている基材である外基材を備えているとともに、前記外基材の外側に、紫外線を遮断する機能を有する紫外線遮断層が設けられていても構わない。
外シート、内シートはともに、仮設テントの一部をなすが、それらはいずれも屋外で使用される。上述したように、外シートは主に、シート構造が難燃性を得るためのものであり、内シートは主に、シート構造が防音性を得るためのものであるが、そのための工夫（実際上は、外シート及び内シートの少なくとも一部に使用された素材がその工夫に該当するであろう。）は、太陽光に含まれる紫外線により劣化するおそれがある。
シート構造の外側に位置する外シートの外基材よりも外、例えば、外シートの最外面に紫外線遮断層が設けられていれば、そのような外シート及び内シートの劣化を効果的に防止することが可能となる。
なお、外基材の構成については追って述べる。
【０００８】
本願発明におけるシート構造において、外シートと内シートとはともに、透光性を有するのが良い。本願発明におけるシート構造は、上述したように、外シートと内シートという二重のシートを備えている。かかる二重のシートは、ともあれば太陽光を遮ってしまい、仮設テントの中を暗くしてしまう。もちろん夜間の工事を行う場合には仮設テントの中に照明設備を設けるのは必須であるが、昼間の工事を行う場合にも照明が必要であるというのであれば、例えば電気代や発電機に用いる燃料代がかさむ。外シートと内シートとがともに透光性を有するのであれば、このような不具合を抑制することができる。なお、外シートと内シートとは、透光性を有するとは言っても、完全な透明である必要はなく、例えば、半透明とすることができる。また、透明は、無色透明ではなく、有色透明でもよく、有色半透明でもよい。外シートと内シートはいずれも、厚さも考慮して、ある程度の透光性があればよく、不透明であっても構わない。内シートの透光率は、外シートの透光率よりも高くすることが可能である。外シートと内シートを重ねた場合、内シートの透光率を大きくすべきである。その理由は、後述するように、外シートには、例えばそのこれも後述する外シート透明層に顔料が含められることがある。そうすると、外シートの透光率を大きくすることが難しくなることがあるので、内シートの透光率を大きくすることが、外シートと内シートとを重ねた場合の合計の透光率を大きくするのに有利となるからである。外シートの透光率は例えば、４％以上で、５％程度或いはそれ以上とするのが好ましい。内シートの透光率は例えば、２０％以上で、３０％程度或いはそれ以上とするのが好ましい。
本願発明におけるシート構造において、前記外シートは、繊維を織った織布でできている基材である外基材を備えているとともに、その少なくとも一方の面に、透光性を有する材料でできている外シート透明層を備えていてもよい。
外シートが上述の如き外シート透明層と外基材とをその基本的構成としているのであれば、本願発明によるシート構造の透光性を上げるに役立つ。なお、外シート透明層は、外基材の内側、外側の一方に存在してもよく、双方に存在しても良い。また、例えば、上述の紫外線遮断層を、外側の外シート透明層が兼ねても良い。また、外シート透明層のうち、特に外基材のうちの外側に位置するものには、紫外線反射及び美観向上の観点から、着色用の顔料が含まれていてもよい。
外シート透明層は、樹脂でできている。樹脂としては、天然ゴム、合成ゴム（例えば、ネオプレンゴム、クロロプレンゴム、シリコーンゴム、ハイパロン）、合成樹脂（例えば、ポリ塩化ビニル（ＰＶＣ）樹脂、エチレン-酢酸ビニルコポリマー（ＥＶＡ）樹脂、アクリル樹脂、シリコーン樹脂、ウレタン樹脂、ポリエチレン（ＰＥ）樹脂、ポリプロピレン（ＰＰ）樹脂、ポリエステル樹脂、フッ素樹脂）を用いることが出来る。樹脂は、難燃性、透光性に加え、外シートが備えるべき他の性質（防水性、機械的強度、耐候性）等を考慮して選択可能である。外シート透明層の厚さも同様に選択することができる。外シート透明層の厚さは、技術的には５ｍｍ程度まで厚くすることができるが、例えば、１５０〜２００μｍとすることができる。
外基材を構成する織布を構成する繊維は、外シートの難燃性を高めるようなものであるのが良く、また、可能であればその透光性を高めるものがよい。もっとも、外シートの基材を構成する繊維は例えば、天然繊維（例えば、木綿繊維、麻繊維）、無機繊維（例えば、ガラス繊維、カーボン繊維、金属繊維）、再生繊維（例えば、ビスコースレーヨン、キュプラ）、半合成繊維（例えば、トリアセテート繊維）、合成繊維（例えば、ポリアミド（ナイロン６、ナイロン６６等）繊維、ポリエステル繊維、芳香族ポリアミド繊維、アクリル繊維、ポリウレタン繊維、ポリオレフィン繊維などから選択することができる。難燃性を高めるためには、外基材を構成する織布を構成する繊維は無機繊維とすることができ、更には透光性まで考慮すると、ガラス繊維とすることができる。
前記内シートは、繊維を織った織布でできている基材である内基材を備えているとともに、その少なくとも一方の面に、透光性を有する材料でできている内シート透明層を備えていてもよい。
内シートが上述の如き内シート透明層と内基材とをその基本的構成としているのであれば、本願発明によるシート構造の透光性を上げるに役立つ。前記内シート透明層は、前記内シートの両面に設けられていてもよい。
内シート透明層は、外シート透明層と同様に、樹脂により構成することができる。内シート透明層を構成する樹脂は、外シート透明層を構成する既に例示した樹脂から選択することができる。
内基材を構成する織布を構成する繊維は、内シートの防音性能を高めるようなものであるのが良く、また、可能であればその透明性を高めるものがよい。内基材を構成する繊維としては、外基材を構成する繊維として選択することのできる既述の多数例示された繊維を用いることができる。外基材を構成する繊維と、内基材を構成する繊維は同じでも良いしそうでなくても良い。内基材を構成する織布を構成する繊維は、合成繊維、中でもポリエステル繊維とすることができる。ポリエステル繊維は、コスト、加工性能に優れる他、難燃性の面でも優れている。
【０００９】
本願発明におけるシート構造において、前記内シートの単位面積あたりの重さは、前記外シートの単位面積あたりの重さよりも大きくされていてもよい。
そうすることによって、内シートの防音性を向上させることが可能となる。
内シートの単位面積あたりの重さを大きくするには、シート全体の厚さを増す、上述した内シート透明層の中に比重の大きな粒子或いは顔料を混ぜる等の工夫を行えば良い。もっとも、比重の大きな粒子、例えば、硫酸バリウムを添加すると、その色彩が内シートに現れ、透光性に影響が生じる可能性があるので、その点に留意すべきである。
【００１０】
以上で説明した、二重のシートである外シート及び内シートを有する本願発明によるシート構造は、仮設テントのシートのすべての部分で採用されても構わないし、そうでなくても構わない。例えば、本願発明による二重のシート構造を、前記仮設テントの屋根部分に張り渡される前記シートに採用するとともに、一重のシートを前記仮設テントの壁部分に採用することもできる。このような仮設テントをも本願発明の一態様として本願発明者は提案する。
【００１１】
本願発明者は、また、骨材と、その間に張り渡されたシートとを有してなる仮設テントにおけるシートの構造であるシート構造であって、前記仮設テントの壁部分に張り渡される前記シートの外部に露出する外面には、光の反射率を低減させるための艶消し機能層が設けられている、シート構造をも、本願発明の他の態様として提案する。
仮設テントは、壁と屋根とを備えている。壁は地表に対して鉛直な部位であり、一般的には仮設テントの側面を構成する。屋根は、壁の上側に設けられ、平面視した場合に壁で囲まれた開口を閉じる。建築物の解体、或いは建築物の建設に用いられる仮設テントは、その工事の規模にもよるが、平面視した場合に矩形である場合のその長辺が１００ｍ以上、その高さが５０ｍ以上にも及ぶものがある大規模なものである。したがって、仮設テントの特に壁の部分のシートの外面が光を良く反射するようなものとなっていると、仮設テントの壁の部分のシートによって反射された太陽光を、仮設テントの近隣の住民等が眩しく感じる可能性がある。
上述の如き艶消し機能層が存在すれば、そのような不具合を抑制することができる。
前記仮設テントの壁部分に張り渡される前記シートの外部に露出する外面は、前記仮設テントの屋根部分に張り渡される前記シートの外部に露出する外面よりも、光の反射率が小さくなるようにされていてもよい。もちろん前記仮設テントの屋根部分に張り渡される前記シートの外部に露出する外面には、光の反射率を低減させるための艶消し機能層が設けられていても良い。しかしながら、シートに艶消し機能層を形成するには一般に費用がかかる。仮設テントの近隣住民に影響を与える太陽光の反射光は主に、仮設テントの屋根の外面でなく壁に由来する。その部分にのみ艶消し機能層を設けることとすれば、上述の不具合を抑制するという効果を略維持しつつ、コストの低減を図ることができる。
【図面の簡単な説明】
【００１２】
【図１】一実施形態で構築される仮設テントを示す斜視図。
【図２】図１に示した仮設テントに含まれる骨部材を示す斜視図。
【図３】図１に示した仮設テントに含まれるシートの（Ａ）平面図と、（Ｂ）側面図と、（Ｃ）他の場合の側面図。
【図４】図１に示した仮設テントに含まれるシート取付用金具の正面図。
【図５】図１に示した仮設テントに含まれるシート取付用金具が梁部に取付けられた状態を梁部の長さ方向の延長線上から見た図。
【図６】図１に示した仮設テントに含まれるシート取付用金具にシートが取付けられた状態を梁部の長さ方向の延長線上から見た図。
【図７】図１に示した仮設テントに含まれる外シートと内シートの断面図。
【図８】図１に示した仮設テントに含まれるシート取付用金具にシートが取付けられた状態で降雨があった場合の雨水の動きを説明するための図。
【図９】変形例１の仮設テントに含まれる壁シートの断面図。
【発明を実施するための形態】
【００１３】
以下、本発明の好ましい一実施形態を、図面を参照しながら詳細に説明する。
【００１４】
この実施形態では、図１に示したような仮設テントを建築する場合について説明することとする。
仮設テントは、簡単に言うと巨大なテントである。これには限られないが、この実施形態における仮設テントは、ビルディング、清掃工場等の既存の建築物を解体するために用いられるものであり、既存の建築物の全体をすっぽりと覆うようなものとされる。仮設テントは、建築物の建築の例えば一部の工程を施工する際に用いられる場合もある。仮設テントは、これには限られないがこの実施形態では平面視矩形であり、大きい場合にはその長辺が１００ｍに及ぶことがあり、その高さは５０ｍに及ぶことがある。
【００１５】
この実施形態による仮設テントは、図１、図２に示すようにして複数の骨部材１０を備えている。図２は、骨部材１０のみを示した図である。骨部材１０は、従来の仮設テントにおけるそれらと基本的に同じ構造で構わない。
各骨部材１０は、これには限られないがこの実施形態では等間隔で、且つ平面視した場合に平行になるようにして立てられている。
【００１６】
これには限られないが、この実施形態における各骨部材１０は同じものとされている。骨部材１０は仮設テントの骨材となるものであり、それに必要な剛性を有するものとなっている。骨部材１０は、これには限られないがこの実施形態では金属製の角パイプで構成されている。
骨部材１０は、いずれも棒状の２本の柱部１１と、これもいずれも棒状の２本の梁部１２とを備えて構成されている。柱部１１は仮設テントの柱となり壁の一部を構成するものであり、梁部１２は仮設テントの梁となり屋根の一部を構成するものである。柱部１１と梁部１２とは全体として一体となっていても構わないが、この実施形態における２つの柱部１１と２つの梁部１２とは別部材とされており、それらが組合せられ、後述の状態で固定されることにより、一体の骨部材１０となるようにされている。もちろん、柱部１１と梁部１２との少なくとも一方が、更に複数の部材で構成されていることもあり得る。巨大な仮設テントの柱部１１と梁部１２とはともに、複数の棒状の部材をトラス状に組上げたものとされるのが通常である。
柱部１１は、所定の間隔を空けて、地面に対して事実上垂直に立てられるものである。柱部１１の下端は地面に固定されるが、その固定の方法は、周知又は公知技術に倣えばよい。
２つの梁部１２の一端は、２つの柱部１１の上端にそれぞれ固定されている。また２つの梁部１２の他端は互いに接続されるようになっている。平面視した場合における２つの梁部１２は一直線上になるようにされている。梁部１２の互いに接続される他端は、梁部１２の一端よりもその高さが高くなるようになっている。かかる梁部１２の構成により、仮設テントの屋根は、これには限られないが、いわゆる切妻型となる。
【００１７】
次に、仮設テントを構成するシート材について説明する。
シート２０は、従来のものとその構成は同じでよく、具体的には図３に示されたように構成される。後述するようにしてシート２０は、隣接する骨部材１０の間に張り渡される。
シート２０は、シート材２１を備えている。シート材２１の詳細については追って説明する。シート２０は、巻取り又は折畳みが可能とされているが、この実施形態ではその双方が可能とされており、少なくとも骨部材１０に沿って曲折可能な程度の柔軟性を有している。
シート２０は図３（Ａ）に示したように長尺の矩形である。シート２０の幅は隣り合う骨部材１０の間の間隔と同じかそれよりも若干長い長さとされている。シート２０の長手方向の長さは、骨部材１０の長さ、即ち２つの柱部１１と２つの梁部１２の長さを合わせた長さに対応したものとされている。シート２０或いはシート材２１は、複数枚のシート材料を熱融着などによって貼り合わせたものであってももちろん構わない。
シート２０の幅方向の両端部には、肉厚部２２が設けられている。肉厚部２２の厚さはシート２０を構成するシート材２１の厚さよりも大きくされている。かかる肉厚部２２は、シート２０を骨部材１０の間に後述するような方法で固定するために用いられる構成である。その固定の方法をこの実施形態と異ならせることも可能であり、その場合には、肉厚部２２がシート２０に設けられない場合もあり得る。
肉厚部２２は、例えば、シート２０の両端部を図３（Ｂ）に示したように折り返して、その先端をシート２０のやや内側よりに溶着、接着、或いは縫製等により固定することで作られた、シート２０の幅方向の両端部におけるシート２０の長さ方向の全長にわたる筒状の空間の内部に、骨部材１０に沿って曲折可能な程度に柔軟なロープ２３を配することによって構成される。或いは、肉厚部２２は、図３（Ｃ）に示したように、シート２０の両端部の表裏両面に、長尺で矩形であり且つその中央を長さ方向に沿って曲折させたシート（例えば、シート材２１と形状を除いて同じように構成されたシートである。）である追加シート片２４の両端の内側面を溶着、接着、或いは縫製等により固定することで作られた、シート２０の幅方向の両端部におけるシート２０の長さ方向の全長にわたる筒状の空間の内部に、柔軟なロープ２３を配することによって構成される。
いずれにせよ、シート２０の肉厚部２２は、シート材２１の厚さよりも厚くなる。かかる肉厚部２２の厚さは、後述する外係止溝及び内係止溝に挿入することができ、且つ外係止溝及び内係止溝の開口から抜け出さないような厚さとされる。なお、シート２０の肉厚部２２以外の部分の厚さは当然に、肉厚部２２を構成するために２重又は３重になっている部分を含めて、外係止溝及び内係止溝の開口の幅よりも薄くなっている。
シート２０は、シート取付用金具を用いて骨部材１０に取付けられる。
【００１８】
次に、シート２０を骨部材１０に取付けるために用いられるシート取付用金具について説明する。
なお、以下に説明するシート取付用金具は、骨部材１０のうち梁部１２にシート２０を固定するために用いられるが、この実施形態では柱部１１へのシート２０の固定にも、同様のシート取付用金具が用いられる。つまり、この実施形態の仮設テントでは、その壁の部分でも屋根の部分でも、シート２０が二重構造をなす。
【００１９】
シート取付用金具１００の正面図を図４に示す。
シート取付用金具１００は、図４に示したような正面形状をしており、長尺であり、その図４における縦断面形状は、その長さ方向のすべての部分で同じである。これには限られないが、シート取付用金具１００は金属製であり、例えば押出成形によって製造される。
シート取付用金具１００は、その幅方向の両側にそれぞれ、外係止溝１１１Ａをその内側に有する断面略Ｃ字形状の外係止部材１１１と、内係止溝１１２Ａをその内側に有する断面略Ｃ字形状の内係止部材１１２とを備えている。
２つの外係止部材１１１同士は、板状体である外接続板１１３によって互いに接続されており、２つの内係止部材１１２同士は、板状体である内接続板１１４によって互いに接続されている。
また、シート取付用金具１００の幅方向の同じ側にある外係止部材１１１と内係止部材１１２とは、その一部で、より詳細には前者の図４における内側より下方と後者の外側より上方で、互いに一体化されている。
上述した外係止溝１１１Ａは、後述する外側のシート２０の肉厚部２２を係止するためのものである。外係止溝１１１Ａにはシート２０の肉厚部２２を挿入することができるようになっている。またシート２０の肉厚部２２以外の部分は外係止溝１１１Ａの開口を通過できるようになっている。上述した内係止溝１１２Ａは、後述する内側のシート２０の肉厚部２２を係止するためのものである。内係止溝１１２Ａにはシート２０の肉厚部２２を挿入することができるようになっている。またシート２０の肉厚部２２以外の部分は内係止溝１１２Ａの開口を通過できるようになっている。
外係止溝１１１Ａ乃至外係止部材１１１は、内係止溝１１２Ａ乃至内係止部材１１２よりも外側に位置するようになっている。
外係止部材１１１の外側下方、或いは別の言葉で言うなら外係止溝１１１Ａの開口の下側には、突起である案内突起１１５が設けられている。案内突起１１５は、後述するようにして垂れ落ちる雨水を案内するものである。
内係止部材１１２の下方には、固定脚１１６が設けられている。固定脚１１６は、シート取付用金具１００を骨部材１０に対して固定するために用いられるものである。固定脚１１６はその下方で外側に曲折されており、その先端に上方に突出した係止爪１１６Ａを備えている。係止爪１１６Ａの機能については後述する。
【００２０】
以上の如きシート取付用金具１００は、図５に示したようにして、骨部材１０に対して取付けられる。図５の上側が、仮設テントの外側である。
骨部材１０の梁部１２に対するシート取付用金具１００の取付け方は以下の通りである。シート取付用金具１００はその長さ方向が梁部１２の長さ方向に沿うようにして、梁部１２に対して固定される。シート取付用金具１００を梁部１２に取付ける際には、固定用金具１８０が用いられる。
固定用金具１８０は、図５に示したような正面形状を持つ、２つで１組とされた金具である。固定用金具１８０は、図５における奥行き方向に、後述するボルトの直径の例えば数倍程度の長さを持つ。つまり、固定用金具１８０は長尺ではない。固定用金具１８０は、梁部１２の左右のどちらか半分の外周に沿わせて用いられるものであり、その上方に、まず内向きにそして図５における下向きに曲折して形成された係止部１８１を備えている。また、固定用金具１８０はその下方に、図５における下方に伸びる固定部１８２を備えている。固定部１８２には、図示を省略の孔が穿たれている。
２つの固定用金具１８０における上述した係止部１８１はそれぞれ、シート取付用金具１００の２つの固定脚１１６における係止爪１１６Ａに対して外側上方から係止することができるようになっている。その状態で、２つの固定用金具１８０の固定部１８２にそれぞれ穿たれた上述の孔を貫通させたボルト１９１に対してナット１９２を螺合させることにより、固定用金具１８０を介してシート取付用金具１００は梁部１２に対して固定されるようになっている。各シート取付用金具１００は、その長さ方向の複数の適宜の位置で、固定用金具１８０を用いて梁部１２に対して固定される。
結果として、シート取付用金具１００は、梁部１２の全長にわたるようにして梁部１２に対して固定されることになる。なお、通常はそうであるが、梁部１２の長さよりもシート取付用金具１００が短ければ、１つの梁部１２には、その長さ方向で連ねられた複数のシート取付用金具１００が固定されることになる。
シート取付用金具１００が梁部１２に取付けられたとき、シート取付用金具１００の外接続板１１３と内接続板１１４はいずれも、その断面が水平になるようにする。シート取付用金具１００は各梁部１２に取付けられるので、隣り合う骨部材１０における梁部１２に取付けられたシート取付用金具１００の互いに相手側のシート取付用金具１００に近い側の外係止溝１１１Ａ同士、及び内係止溝１１２Ａ同士は、互いに対向することになる。外係止溝１１１Ａは、仮設テントを基準とした場合に、内係止溝１１２Ａより外側に位置することになる。
同様にして、骨部材１０の柱部１１に対しても、柱部１１の全長にわたるようにしてシート取付用金具１００が取付けられる。シート取付用金具１００が柱部１１に取付けられたとき、シート取付用金具１００の外接続板１１３と内接続板１１４はいずれも、仮設テントの図１における長手方向と一致するようにする。シート取付用金具１００は各柱部１１に取付けられるので、隣り合う骨部材１０における柱部１１に取付けられたシート取付用金具１００の互いに相手側のシート取付用金具１００に近い側の外係止溝１１１Ａ同士、及び内係止溝１１２Ａ同士は、互いに対向することになる。外係止溝１１１Ａは、仮設テントを基準とした場合に、内係止溝１１２Ａより外側に位置することになる。また、柱部１１と梁部１２との接続部分においては、柱部１１と梁部１２とがなす角度と同じ角度で、それらにそれぞれ固定されたシート取付用金具１００の端部同士が殆ど接触した状態となる。このとき、両シート取付用金具１００における外係止溝１１１Ａ同士と内係止溝１１２Ａ同士は連続した状態となるが、外係止溝１１１Ａ同士の間、或いは内係止溝１１２Ａ同士の間に隙間が生じるようであれば、適当な部材を配することによりその隙間を埋めるようにすることも可能である。
【００２１】
このようにして骨部材１０に対して取付けられたシート取付用金具１００に対して、シート２０が取付けられる。
シート２０は、隣り合う骨部材１０の間に張り渡される。一の骨部材１０に取付けられたシート取付用金具１００における外係止溝１１１Ａ及び内係止溝１１２Ａは、隣り合う骨部材１０に取付けられたシート取付用金具１００における上記一の骨部材１０に取付けられたシート取付用金具１００に近い側の外係止溝１１１Ａ及び内係止溝１１２Ａとそれぞれ対向した状態となっている。その対向した外係止溝１１１Ａ同士を対になる外係止溝１１１Ａとして、それら２つの外係止溝１１１Ａに、それぞれ一枚のシート２０の幅方向の両端の肉厚部２２を、図２の手前側に位置する柱部１１の下端からか、又は奥側に位置する柱部１１の下端から挿入する。そして、シート２０の先端を２本の柱部１１に取付けられたシート取付用金具１００の対向する外係止溝１１１Ａにその幅方向の両端の肉厚部２２を案内させながら、当該柱部１１の上端まで引き上げる。次いで、２本の梁部１２に取付けられたシート取付用金具１００の外係止溝１１１Ａと、反対側の柱部１１に取付けられたシート取付用金具１００の外係止溝１１１Ａとにその肉厚部２２を案内させながら、シート２０の先端を、上記反対側の柱部１１の下端に至るまで移動させる。
これにより、シート２０は、隣接する２つの骨部材１０の間の一対の外係止溝１１１Ａによってその両端の肉厚部２２を係止された状態で、隣接する２つの骨部材１０の間に張り渡された状態となる。
かかる作業を、隣接する２つの骨部材１０の間のすべてにおいて行う。
また、同様の作業を、隣接する２つの骨部材１０の間の一対の内係止溝１１２Ａの間で行う。これにより、シート２０は、隣接する２つの骨部材１０の間の一対の内係止溝１１２Ａによってその両端の肉厚部２２を係止された状態で、隣接する２つの骨部材１０の間に張り渡された状態となる。もちろんこの作業は、隣接する２つの骨部材１０の間の一対の内係止溝１１２Ａの間のすべてで行われる。
シート２０が張り渡された状態を図６に示す。
【００２２】
これにより、図１における仮設テントの４つの側面のうちの２つの矩形の側面と、２つの矩形の屋根面にはシート２０が張り渡される。
他方、図１における２つの五角形の側面は未だ開放された状態である。２つの五角形の側面には、周知又は公知の手法を用いて適当にシートを張り渡す。必要に応じて当該側面に開閉が可能な扉４０を設けて、仮設テントが完成する。
【００２３】
シート２０の構成について説明する。図７において上側に位置するシートが、相対的に仮設テントの外側に位置する外シート２００で、図７において下側に位置するシートが、相対的に仮設テントの内側に位置する内シート３００である。それらのそれぞれの構成について説明する。
【００２４】
まず、外シート２００の構成について説明する。
外シート２００は、内シート３００に比して高い難燃性を有し、二重に配されたシート２０を含むシート構造における難燃性を担保する機能を有する。また、外シート２００は、透光性を有するのが好ましく、これには限られないがこの実施形態ではそうされている。外シート２００は、全体として透明又は半透明とすることができる。無色でも良いが、有色透明又は有色半透明でも構わない。不透明であっても、厚さも考慮して全体として透光性があれば少なくとも足りる。外シート２００の透光率は例えば、４％以上で、５％程度或いはそれ以上とするのが好ましい。これには限られないが、この実施形態では、外シート２００の透光性は、５％とされている。
この実施形態における外シート２００は、これには限られないが、外基材２１０を有している。外基材２１０は、これには限られないが、この実施形態では、繊維を織って作られた織布である。外基材２１０を構成する繊維は例えば、天然繊維（例えば、木綿繊維、麻繊維）、無機繊維（例えば、ガラス繊維、カーボン繊維、金属繊維）、再生繊維（例えば、ビスコースレーヨン、キュプラ）、半合成繊維（例えば、トリアセテート繊維）、合成繊維（例えば、ポリアミド（ナイロン６、ナイロン６６等）繊維、ポリエステル繊維、芳香族ポリアミド繊維、アクリル繊維、ポリウレタン繊維、ポリオレフィン繊維）などから選択することができる。難燃性を高めるためには、外基材２１０を構成する織布を構成する繊維を無機繊維とするのが好ましい。また、外シート２００の透光性を確保することまで考慮すると、外基材２１０を構成する繊維はガラス繊維とするのが好ましい。この実施形態における外基材２１０は、これには限られないが、ガラス繊維を織って構成されている。これには限られないが、この実施形態における外基材２１０の厚さは、３００μｍ程度である。もっとも、外基材２１０を構成する織布は、その目の大きさを適切に選択することにより、繊維が不透明なものであっても外シート２００が透光性を得られるようにすることが可能である。
【００２５】
外シート２００は、外シート透明層２２１、２２２を備えている。外シート透明層２２１、２２２のうち、外シート透明層２２１は、外基材２１０の内側に、外シート透明層２２２は外基材２１０の外側にそれぞれ位置している。
外シート透明層２２１、２２２はいずれも透明であることが好ましいが、半透明でも良い。また、無色で無くてもよく、有色透明、有色半透明であっても良い。それらはいずれも、厚さも考慮して、ある程度の透光性があればよく、不透明であっても構わない。
これには限られないが、この実施形態における外シート透明層２２１、２２２はともに、樹脂でできている。樹脂としては、天然ゴム、合成ゴム（例えば、ネオプレンゴム、クロロプレンゴム、シリコーンゴム、ハイパロン）、合成樹脂（例えば、ポリ塩化ビニル（ＰＶＣ）樹脂、エチレン-酢酸ビニルコポリマー（ＥＶＡ）樹脂、アクリル樹脂、シリコーン樹脂、ウレタン樹脂、ポリエチレン（ＰＥ）樹脂、ポリプロピレン（ＰＰ）樹脂、ポリエステル樹脂、フッ素樹脂）を用いることが出来る。この実施形態では、これには限られないが、外シート透明層２２１、外シート透明層２２２ともに、ＰＶＣ樹脂により構成されている。樹脂は、難燃性、透光性に加え、外シート２００が備えるべき他の性質（防水性、機械的強度、耐候性）等を考慮して選択可能である。外シート透明層２２１、２２２の厚さも同様に選択することができる。一般に、外シート透明層２２１の厚さは、例えば１５０〜４５０μｍとすることができ、この実施形態ではこれには限られないが１８０μｍとされている。一般に、外シート透明層２２２の厚さは、例えば２００〜４００μｍとすることができ、この実施形態ではこれには限られないが２４０μｍとされている。外シート透明層２２１と、外シート透明層２２２の成分と厚さは、ともに同じでも良いし、同じで無くても良い。
外シート透明層２２１と、外シート透明層２２２とはともに、公知の方法（例えば、トッピング、カレンダリング、コーティング、ディッピングなど）によって外基材２１０上に形成することが出来る。これらの樹脂中には、公知のように、可塑剤、安定剤が含まれても良く、この実施形態ではそうされている。外シート透明層２２１と、外シート透明層２２２の少なくとも一方には、外シート２００を難燃化するために、防炎性を上げる機能を有する公知の防炎剤が添加されるべきであり、この実施形態ではこれには限られないが、外シート透明層２２１と、外シート透明層２２２の双方に防炎剤が配合されている。外側に位置する外シート透明層２２２には、紫外線反射及び美観向上の観点から、着色用の顔料が含まれていてもよい。また、外シート透明層２２２には、これには限られないが、紫外線を遮断する紫外線遮断層としての機能を与えることができ、紫外線を吸収する機能を有する公知の紫外線吸収剤が配合されていても良い。これには限られないが、この実施形態では、外シート透明層２２２には紫外線吸収剤が配合されている。
なお、外シート透明層２２１、外シート透明層２２２は、それらのうち少なくとも外シート透明層２２１が存在すれば足りるが、この実施形態では、それらの双方が存在するものとする。
【００２６】
外基材２１０の外側に位置する外シート透明層２２２には、上述したように、紫外線吸収剤を加えることが可能である。
また、この実施形態では、外シート透明層２２２の更に外側に、艶消し機能層２４０が設けられている。艶消し機能層２４０は、太陽光の特に可視領域の波長の光の反射を低減する機能を有している。艶消し機能層２４０は、その機能上、外シート２００の最外面に存在する。艶消し機能層２４０は、外シート２００の防汚性を増す機能を兼ね揃えていてもよい。艶消し機能層２４０は、樹脂に公知のつや消し剤を配合したものである。例えば、艶消し機能層２４０は、フッ素樹脂とアクリル樹脂とを混合した樹脂やアクリル樹脂と塩ビ樹脂とを混合した樹脂（艶消し＋防汚性の機能を有する。）を塗工して形成することができる。この場合の樹脂の塗工量は、固形分で２〜５ｇ／ｍ２である。樹脂でできている場合、艶消し機能層２４０の製法は、外シート透明層２２１、２２２の製法と同じものから選択できる。なお、艶消し機能層２４０は、外シート２００の最外面を粗化することによって形成することも可能である。もっとも、粗化による場合には防汚性能を確保するために何らかの工夫を要する可能性がある。
なお、艶消し機能層２４０は、仮設テントの少なくとも壁部分を構成する外シート２００の外面に設けられていれば良い。この実施形態では、仮設テントの壁部分と屋根部分を構成する外シート２００の全ての部分に艶消し機能層２４０が設けられているものとするが、屋根部分に配される外シート２００には艶消し機能層２４０が設けられていなくても構わない。
【００２７】
次に、内シート３００の構成について説明する。
内シート３００は、外シート２００に比して高い防音性を有し、二重に配されたシート２０を含むシート構造における防音性を担保する機能を有する。また、内シート３００は、透光性を有するのが好ましく、これには限られないがこの実施形態ではそうされている。内シート３００は、全体として透明又は半透明とすることができる。無色でも良いが、有色透明又は有色半透明でも構わない。不透明であっても、厚さも考慮して全体として透光性があれば少なくとも足りる。内シート３００の透光率は、外シート２００の透光率よりも高くすることができ、またそうするのが好ましい。内シート３００の透光率は例えば、２０％以上で、３０％程度或いはそれ以上とするのが好ましい。これには限られないが、この実施形態では、内シート３００の透光性は、３０％とされている。
この実施形態における内シート３００は、これには限られないが、内基材３１０を有している。内基材３１０は、これには限られないが、この実施形態では、繊維を織って作られた織布である。内基材３１０を構成する織布を構成する繊維は、内シート３００の難燃性を高めるようなものであるのが良く、また、可能であればその透明性を高めるものがよい。内基材３１０を構成する繊維は例えば、外基材２１０を構成する繊維として既に例示したものから選択することができる。その中でも、内基材３１０を構成する織布を構成する繊維としては、合成繊維、中でもポリエステル繊維を選択するのが好ましく、この実施形態ではそうしている。これには限られないが、この実施形態における内基材３１０の厚さは、３００μｍ程度である。
もっとも、内基材３１０を構成する織布は、その目の大きさを適切に選択することにより、繊維が不透明なものであっても内シート３００が透光性を得られるようにすることが可能である。
【００２８】
内シート３００は、内シート透明層３２１、３２２を備えている。内シート透明層３２１、３２２のうち、内シート透明層３２１は、内基材３１０の内側に、内シート透明層３２２は内基材３１０の外側にそれぞれ位置している。
内シート透明層３２１、３２２はいずれも透明であることが好ましいが、半透明でも良い。また、無色で無くてもよく、有色透明、有色半透明であっても良い。それらはいずれも、厚さも考慮して、ある程度の透光性があればよく、不透明であっても構わない。
これには限られないが、この実施形態における内シート透明層３２１、３２２はともに、樹脂でできている。内シート透明層３２１、３２２を構成する樹脂は、外シート透明層２２１、２２２を構成する樹脂として既に例示したものから選択することができる。これには限られないが、この実施形態では、内シート透明層３２１と、内シート透明層３２２とを構成する樹脂はともに、ＰＶＣである。一般に、内シート透明層３２１の厚さは、例えば１５０〜４５０μｍとすることができ、この実施形態ではこれには限られないが４５０μｍとされている。一般に、内シート透明層３２２の厚さは、例えば２００〜４００μｍとすることができ、この実施形態ではこれには限られないが３８０μｍとされている。。この実施形態における内シート３００は、これには限られないが、防音性を確保する目的で、単位面積あたりの重さが外シート２００よりも厚くされている。内基材３１０の単位面積あたりの重さを外基材２１０の単位面積あたりの重さより大きくすることによりこれを達成することも可能であるが、内シート透明層３２１、３２２の合計の厚さを、外シート透明層２２１、２２２の合計の厚さよりも大きくすることでこれを達成するのが簡単である。内シート透明層３２１と、内シート透明層３２２の成分と厚さは、ともに同じでも良いし、同じで無くても良い。
内シート透明層３２１と、内シート透明層３２２とはともに、外シート透明層２２１と、外シート透明層２２２と同様に、公知の方法によって内基材３１０上に形成することが出来る。これらの樹脂中には、公知のように、可塑剤、安定剤が含まれても良く、この実施形態ではそうされている。内シート透明層３２１と、内シート透明層３２２とには、紫外線吸収剤を含めるには及ばない。
なお、内シート透明層３２１、内シート透明層３２２は、それらのうちの少なくとも一方が存在すれば足りるが、この実施形態では、それらの双方が存在するものとする。
【００２９】
仮設テントが完成した後、降雨があったとする。梁部１２を構成する部分の傾斜したシート２０に雨水が付着する。
この場合、外側のシート２０の外面に雨水が付着する。かかる雨水の一部は、図８における矢印Ｗで示したように、外側のシート２０の外面を伝わって外係止溝１１１Ａの中に入り込み、外側のシート２０の肉厚部２２を回り込んで、外側のシート２０の内面側に至り、そして、再び外係止溝１１１Ａから漏れ出すことがある。このとき、雨水は外側のシート２０の内面側に位置している。かかる雨水は、更に矢印Ｗで示したように外係止部材１１１における外係止溝１１１Ａの開口の下方の部分を伝わって垂れる。外係止溝１１１Ａから出た雨水は、そのまま内側のシート２０に垂れるか、或いは少なくとも案内突起１１５にまで及んだら、そこで水滴Ｗ１となって内側のシート２０に垂れ落ちる。
いずれにせよ、雨水が垂れ落ちる内側のシート２０の外側面上における位置は、内係止溝１１２Ａからは離れたところ、言い換えれば内側のシート２０の幅方向における中央寄りの位置となる。かかる位置に落ちた雨水は、内側のシート２０の最大傾斜線に沿う方向、つまりシート取付用金具１００の長さ方向に沿って流れていくことになるから、内係止溝１１２Ａの方向に近づき内係止溝１１２Ａの中に入ることはない。これにより、内係止溝１１２Ａを介して、内側のシート２０の更に内側、つまり仮設テントの内部に雨水が侵入することがなくなる。
仮設テントの側面を構成するシート２０に対応する部分では以上のような効果は生じないが、少なくともシート取付用金具１００によって構成される以上の取付構造が、雨水の仮設テントへの侵入を促進することはない。
【００３０】
また、上述の如き二重のシート２０を有するシート構造は、外シート２００によって難燃性が担保され、また、内シート３００によって防音性が担保される。防音性は、外シート２００によっても担保されるが、外シート２００は防音性については補助的な役割を担う。
また、上述のシート構造は、外シート２００の最外面或いはその近くにある紫外線遮断層としても機能する外シート透明層２２２によって、外シート２００と内シート３００の双方が紫外線から守られるようになっている。
また、上述のシート構造は、外シート２００の最外面にある艶消し機能層２４０によって、太陽光の反射が抑制されるので、仮設テントの近隣住民に光害を与えることを抑制することができる。艶消し機能層２４０が防汚性能を備えていれば、防汚の効果も得られる。
また、上述のシート構造は、外シート２００と内シート３００がともに透光性を有することにより、仮設テント内で工事を行う場合、少なくとも昼間においては、仮設テント内で照明が不要になるか、少なくとも照明で明るさを補う必要性を小さくすることができる。
また、上述のシート構造は、外シート２００の外シート透明層２２２に着色用の顔料を含めることにより、紫外線反射及び美観を向上させることができる。
【００３１】
＜変形例１＞
変形例１による仮設テントについて説明する。変形例１による仮設テントは、上述の実施形態における仮設テントと概ね同じである。
異なるのは、上述の仮設テントにおけるシート構造は、仮設テントの屋根部分と壁部分の双方においてシート２０が二重の二重構造であったが、変形例１の仮設テントにおけるシート構造は、屋根部分では二重構造ではあるが、仮設テントの壁部分では一重構造である、という点である。
【００３２】
変形例１における仮設テントの屋根部分におけるシート構造は、実施形態と完全に同一でも良い。シート２０が二重構造であるので、変形例１において二重のシート２０を骨部材１０に固定するために用いられるシート取付用金具１００の構成も、上述の実施形態と同じで良い。
【００３３】
他方、変形例１による仮設テントの壁部分におけるシート構造は、上述のように一重である。したがって、屋根部分のシート２０と、壁部分のシート２０とは、別部材とするのが現実的であり、変形例１ではこれには限られないがそうしている。また、変形例１において二重のシート２０を骨部材１０に固定するために用いられる、例えば柱部１１に取付けられるシート取付用金具１００の構成は、上述の実施形態と異なるものとすることができる。具体的には、変形例１のシート取付用金具１００は、実施形態によるシート取付用金具１００から、外係止部材１１１と、外接続板１１３とを省略したものとすることができる。壁部分を構成するシートを壁シートと称することとすると、この場合、壁シートは、シート取付用金具１００の内係止部材１１２を用いてその幅方向の両端を固定されることになる。もっとも、屋根部分に用いられるものと、壁部分に用いられるシート取付用金具１００の双方を上述の実施形態で説明したものと同じものとして、壁シートを固定する場合には、内係止部材１１２と外係止部材１１１との一方のみを用い、他方を遊ばせることにより、壁シートを一重とするという方法も採用しうる。
【００３４】
まず、壁シート４００の構成について図９を用いて説明する。
壁シート４００は、外シート２００及び内シート３００の機能を、それらを組合せた場合よりは多少は劣るものの、概ね１枚で担保するものとなっている。
壁シート４００は、難燃性と防音性をある程度のレベルで備える。壁シート４００は、透光性を有するのが好ましく、これには限られないが変形例１ではそうされている。壁シート４００は、全体として透明又は半透明とすることができる。無色でも良いが、有色透明又は有色半透明でも構わない。不透明であっても、厚さも考慮して全体として透光性があれば少なくとも足りる。
変形例１における壁シート４００は、これには限られないが、壁基材４１０を有している。壁基材４１０は、内シート３００における外基材３１０と同じように構成可能である。変形例１における壁基材４１０は、これには限られないが、ポリエステル繊維を織って構成されている。壁シート基材４１０は、これには限られないが、その厚さが３００μｍ程度である。
壁シート４００は、壁シート透明層４２１、４２２を備えている。壁シート透明層４２１と、壁シート透明層４２２とはそれぞれ、外シート２００における外シート透明層２２１と、外シート透明層２２２と、製法まで含めて同じように構成可能である。
壁シート透明層４２１、４２２はいずれも透明であることが好ましいが、半透明でも良い。また、無色で無くてもよく、有色透明、有色半透明であっても良い。それらはいずれも、厚さも考慮して、ある程度の透光性があればよく、不透明であっても構わない。
壁シート透明層４２１と、壁シート透明層４２２の少なくとも一方には、壁シート４００を難燃化するために、防炎性を上げる機能を有する公知の防炎剤が添加されるべきであり、この変形例１ではこれには限られないが、壁シート透明層４２１と、壁シート透明層４２２の双方に防炎剤が配合されている。外側に位置する壁シート透明層４２２には、紫外線反射及び美観向上の観点から、着色用の顔料が含まれていてもよい。また、壁シート透明層４２２には、外シート透明層２２２の場合と同様の理由により、紫外線吸収剤が配合されていてもよい。壁シート透明層４２１、壁シート透明層４２２の一方を省略可能なのも、外シート透明層２２１と、外シート透明層２２２の場合と同じである。
一般に壁シート透明層４２１の厚さは、例えば１５０〜４５０μｍとすることができ、この実施形態ではこれには限られないが３９０μｍとされている。一般に、壁シート透明層４２２の厚さは、例えば２００〜４００μｍとすることができ、この実施形態ではこれには限られないが３５０μｍとされている。  壁基材４１０の外側、この変形例１では壁シート透明層４２２の更に外側には、、艶消し機能層４４０が設けられている。艶消し機能層４４０の機能、構成、製法は、外シート２００における艶消し機能層２４０に同じである。
【００３５】
変形例１における仮設テントの使用方法は、上述の実施形態の場合と同じである。
【００３６】
＜変形例２＞
変形例２による仮設テントについて説明する。変形例２による仮設テントは、変形例１における仮設テントと概ね同じである。
異なるのは、変形例１の仮設テントにおけるシート構造は、屋根部分では二重構造ではあるが、仮設テントの壁部分では一重構造であったが、変形例２のシート構造は、屋根部分と壁部分の双方で、一重構造である、という点である。
変形例２では、壁部分のみならず、屋根部分においても、変形例１における壁部分のシート構造と同じものを採用する。
なお、屋根部分のシート構造における壁シート（本来なら、屋根シートと呼ぶのが適切であろうが）には、艶消し機能層４４０を設けなくても良い。
【００３７】
変形例２における仮設テントの使用方法は、上述の実施形態の場合と同じである。
【符号の説明】
【００３８】
１０  骨部材
１１  柱部
１２  梁部
２０  シート
２１  シート材
２２  肉厚部
２３  ロープ
１００  シート取付用金具
２００  外シート
２１０  外基材
２２１  外シート透明層
２２２  外シート透明層
２４０  艶消し機能層
３００  内シート
３１０  内基材
３２１  内シート透明層
３２２  内シート透明層
【図１】
2019116817.tif 000003
【図２】
2019116817.tif 000004
【図３】
2019116817.tif 000005
【図４】
2019116817.tif 000006
【図５】
2019116817.tif 000007
【図６】
2019116817.tif 000008
【図７】
2019116817.tif 000009
【図８】
2019116817.tif 000010
【図９】
2019116817.tif 000011